(57)【要約】【課題】収納棚の形成に要する労力や時間を短縮すること。【解決手段】本発明では、家屋（２）の内壁（４）に形成する収納棚（１）の構造及びその形成方法において、垂直方向に伸延する複数枚の矩形板状の柱板（１１〜１４、１８〜２１、２８〜３１）の上端間に水平方向に伸延する棚板（１５、２２、２３、３２）の下面を合い釘（１６、２４、２５、３３、３４）で接合した棚ユニット（６〜１０）を床（３）と天井（３９）との間に複数積層させて収納棚（１）を形成することにした。【選択図】図１
2013117127.tif 000002
【特許請求の範囲】
【請求項１】
家屋の内壁に形成する収納棚の構造において、
垂直方向に伸延する複数枚の矩形板状の柱板の上端間に水平方向に伸延する棚板の下面を合い釘で接合した棚ユニットを床と天井との間に複数積層させて収納棚を形成することを特徴とする収納棚の構造。
【請求項２】
家屋の内壁に形成する収納棚の形成方法において、
垂直方向に伸延する複数枚の矩形板状の柱板の上端間に水平方向に伸延する棚板の下面を合い釘で接合した棚ユニットを床と天井との間に複数積層させて収納棚を形成することを特徴とする収納棚の形成方法。
【発明の詳細な説明】
【技術分野】
【０００１】
本発明は、家屋の内壁に形成する収納棚の構造及びその形成方法に関するものである。
【背景技術】
【０００２】
家屋内の部屋には、内壁だけでなく、柱や梁や窓などが形成されており、その位置やサイズが各部屋ごとに異なっている。
【０００３】
そのため、大量生産される既存の家具では、各部屋ごとの柱や梁などの位置やサイズと良好に適合せずに、無駄な隙間が形成されてしまう。また、既成の大型家具では、大き過ぎて特別な搬入口が無い限り一般的な住宅やマンションに搬入することができない。
【０００４】
そこで、従来においては、たとえば特許文献１に開示されているように、各部屋の床から梁までの長さに合わせた左右一対の側板と、柱間の長さに合わせた複数枚の棚板とで形成した収納棚が考案されている。
【先行技術文献】
【特許文献】
【０００５】
【特許文献１】特開２００９−９７１４３号公報
【発明の概要】
【発明が解決しようとする課題】
【０００６】
ところが、上記従来の収納棚では、床から梁までの長さに合わせた左右一対の側板と柱間の長さに合わせた複数枚の棚板とで形成しているために、各部材の運搬や組立て作業に多大な労力や時間を要するおそれがあった。
【課題を解決するための手段】
【０００７】
そこで、請求項１に係る本発明では、家屋の内壁に形成する収納棚の構造において、垂直方向に伸延する複数枚の矩形板状の柱板の上端間に水平方向に伸延する棚板の下面を合い釘で接合した棚ユニットを床と天井との間に複数積層させて収納棚を形成することにした。
【０００８】
また、請求項２に係る本発明では、家屋の内壁に形成する収納棚の形成方法において、垂直方向に伸延する複数枚の矩形板状の柱板の上端間に水平方向に伸延する棚板の下面を合い釘で接合した棚ユニットを床と天井との間に複数積層させて収納棚を形成することにした。
【発明の効果】
【０００９】
そして、本発明では、以下に記載する効果を奏する。
【００１０】
すなわち、本発明では、垂直方向に伸延する複数枚の矩形板状の柱板の上端間に水平方向に伸延する棚板の下面を合い釘で接合した棚ユニットを床と天井との間に複数積層させて収納棚を形成することにしているために、収納棚の形成に要する労力や時間を短くすることができる。
【図面の簡単な説明】
【００１１】
【図１】本発明に係る収納棚を示す斜視図。
【図２】同正面図（ａ）、側面図（ｂ）。
【図３】収納棚の形成方法を示す説明図。
【図４】収納棚の形成方法を示す説明図。
【発明を実施するための形態】
【００１２】
以下に、本発明に係る収納棚の具体的な構成について図面を参照しながら説明する。
【００１３】
図１に示すように、収納棚１は、家屋２の床３の上部に内壁４に沿って形成され、内壁４から張出した柱５によって形成される凹部に収容されている。
【００１４】
この収納棚１は、５個の棚ユニット6,7,8,9,10を３層に積層して形成している。
【００１５】
最下層の棚ユニット６は、左右に間隔をあけて配置した４枚の垂直方向に伸延する矩形板状の柱板11,12,13,14の上端間に１枚の水平方向に伸延する矩形板状の棚板15の下面を合い釘16で接合することで形成している。この最下層の棚ユニット６は、床３の上面に合い釘17で接合している。
【００１６】
中間層の棚ユニット7(8)は、左右に間隔をあけて配置した２枚の垂直方向に伸延する矩形板状の柱板18,19（20,21)の上端間に１枚の水平方向に伸延する矩形板状の棚板22(23)の下面を合い釘24(25)で接合することで形成している。この中間層の棚ユニット7(8)は、最下層の棚ユニット６の棚板15の上面に合い釘26(27)で接合している。
【００１７】
最上層の棚ユニット9(10)は、左右に間隔をあけて配置した２枚の垂直方向に伸延する矩形板状の柱板28,29（30,31)の上端間に両棚ユニット9(10)に共通する１枚の水平方向に伸延する矩形板状の棚板32の下面を合い釘33(34)で接合することで形成している。この最上層の棚ユニット9(10)は、中間層の棚ユニット7(8)の棚板22(23)の上面に合い釘35(36)で接合している。また、最上層の棚ユニット9(10)は、棚板32の上面に左右に伸延する補強板37を介して左右に伸延する幕板38を取付け、棚板32と天井39との隙間を幕板38で覆っている。
【００１８】
上記収納棚１を形成する場合には、まず、図３（ａ）、（ｂ）に示すように、床３の上面の所要位置に合い釘17を打ち込み、その後、図３（ｃ）、（ｄ）に示すように、床３よりも上方に突出させた合い釘17の上部に柱板11,12,13,14を打ち込む。
【００１９】
次に、図３（ｅ）、（ｆ）に示すように、各柱板11,12,13,14の上端面の所要位置に合い釘16を打ち込み、その後、図４（ａ）、（ｂ）に示すように、各柱板11,12,13,14よりも上方に突出させた合い釘16の上部に棚板15を打ち込む。
【００２０】
これにより、床３の上部に最下層の棚ユニット６が形成される。
【００２１】
次に、図４（ｃ）、（ｄ）に示すように、最下層の棚ユニット６の棚板15の上面の所要位置に合い釘26,27を打ち込み、その後、上記最下層の棚ユニット６の形成と同様に、棚板15よりも上方に突出させた合い釘26,27の上部に柱板18,19,20,21を打ち込み、各柱板18,19,20,21の上端面の所要位置に合い釘24,25を打ち込み、その後、各柱板18,19,20,21よりも上方に突出させた合い釘24,25の上部に棚板22,23を打ち込む。
【００２２】
これにより、最下層の棚ユニット６の上部に中間層の棚ユニット7,8が積層形成される。
【００２３】
次に、上記中間層の棚ユニット7,8の形成と同様に、中間層の棚ユニット7,8の棚板22,23の上面の所要位置に合い釘35,36を打ち込み、その後、棚板22,23よりも上方に突出させた合い釘35,36の上部に柱板28,29,30,31を打ち込み、各柱板28,29,30,31の上端面の所要位置に合い釘33,34を打ち込み、その後、各柱板28,29,30,31よりも上方に突出させた合い釘33,34の上部に棚板32を打ち込む。
【００２４】
これにより、中間層の棚ユニット7,8の上部に最上層の棚ユニット9,10が積層形成される。
【００２５】
最後に、最上層の棚ユニット9,10に共通する棚板32の上部に補強板37を取付け、補強板37に幕板38を取付ける。
【００２６】
以上に説明したように、上記収納棚１は、垂直方向に伸延する複数枚の矩形板状の柱板11〜14,18〜21,28〜31の上端間に水平方向に伸延する棚板15,22,23,32の下面を合い釘16,24,25,33,34で接合した棚ユニット6〜10を床３と天井39との間に積層させて形成している。
【００２７】
そのため、上記収納棚１は、構造が簡単であり、形成に要する労力や時間を従来よりも短くすることができ、安価なものとすることができる。
【００２８】
なお、上下に積層する棚ユニット6〜10の各柱板11〜14,18〜21,28〜31は左右にずれた位置に配置してもよいが、左右の位置を上下に揃えることで荷重に対する強度を増大することができる。また、各棚ユニット6〜10の柱板11〜14,18〜21,28〜31と棚板15,22,23,32の前面や側面に化粧板を貼着してもよい。
【符号の説明】
【００２９】
１  収納棚
２  家屋
３  床
４  内壁
５  柱
6〜10  棚ユニット
11〜14,18〜21,28〜31  柱板
15,22,23,32  棚板
16,17,24〜27,33〜36  合い釘
37  補強板
38  幕板
39  天井
【図１】
2013117127.tif 000003
【図２】
2013117127.tif 000004
【図３】
2013117127.tif 000005
【図４】
2013117127.tif 000006